(57)【要約】      （修正有）【課題】安価に製造でき、しかも巻芯からのコードの繰り出し作業がスムーズ且つ簡単に行えるようにする草刈機等に取りつけるコード式ロータリーカッターを提供する。【解決手段】中央部にコードＣを巻き付けるための円筒状の巻芯部２と、巻芯部２の下端から外側へ水平に伸び、全体形状が平面から見て略円形の底板部３と、底板部３の外縁から起立する立上壁部と、底板部３の円周方向に一定間隔をあけて、底板部３条面に突設された複数のコード台部５とを設ける。さらに、これらコード台部５に形成されたコード掛止用切込み６等を備え、コード掛止用切込み６は、コード収容部６ａとコード止め部６ｂとコード出入れ部６ｃ等とを有している。【選択図】図２
0003174660.tif 000002
【実用新案登録請求の範囲】
【請求項１】
中央部にコードを巻き付けるための円筒状の巻芯部と、巻芯部の下端から外側へ水平に伸び、全体形状が平面から見て略円形の底板部と、底板部の外縁から起立する立上壁部と、底板部の円周方向に一定間隔をあけて、底板部上面に突設された少なくとも複数のコード台部と、これらコード台部に形成されたコード掛止用切込みと、巻芯部の上端から内外方向に水平に延成され、中央に取付孔が形成された取付板部とを有しており、前記コード掛止用切込みは、コードの端部寄り部分を収容する最奥のコード収容部と、コード収容部から当該ロータリーカッターの回転方向側に形成されたコード止め部と、コード止め部から当該ロータリーカッターの回転方向側に向かって斜めに外縁まで形成されたコード出入れ部とを有している、コード式ロータリーカッター。
【請求項２】
中央部にコードを巻き付けるための円筒状の巻芯部と、巻芯部の下端から外側へ水平に伸び、全体形状が平面から見て略円形の底板部と、底板部の外縁から起立する立上壁部と、底板部の円周方向に一定間隔をあけて、底板部上面に突設された少なくとも複数のコード台部と、これらコード台部に形成されたコード掛止用切込みと、巻芯部の上端から内外方向に水平に延成され、中央に取付孔が形成された取付板部とを有しており、前記コード掛止用切込みは、コードの端部寄り部分を収容する最奥のコード収容部と、コード収容部から当該ロータリーカッターの回転方向側に向かって斜めに外縁まで形成されたコード出入れ部とを有している、コード式ロータリーカッター。
【考案の詳細な説明】
【技術分野】
【０００１】
本考案は、草を刈って除去するための草刈機や刈払機に取り付けられるコード式ロータリーカッターに関する。
【背景技術】
【０００２】
草刈機等では、そのシャフトの先端に草等を刈るための円盤状のロータリーカッターが取り付けられる。該ロータリーカッターとしては、中央部にコードを巻き付けるための円筒状の巻芯部と、巻芯部の下端から外側へ水平に伸び、全体形状が平面から見て円形の底板部と、底板部の外縁から起立する立上壁部と、底板部の円周方向に一定間隔をあけて、底板上面に突設されたコード台部と、コード台部にあけられたコード挿通孔と、巻芯部の上端から内外方向に水平に延成され、中央に取付孔が形成された取付板部とを有するものが知られている。
【０００３】
また、前記コード挿通孔をコード台部に形成せずに前記立上壁部に形成したロータリーカッターも知られている。
【先行技術文献】
【特許文献】
【０００４】
【特許文献１】特開平９−２０５８４６号公報
【特許文献２】実開平３−９１７２２号公報
【特許文献３】特開平８−１７２８４５号公報
【考案の概要】
【考案が解決しようとする課題】
【０００５】
しかしながら、前述したロータリーカッターでは、その使用においてコードが磨耗して短くなった際に、コードが挿通されている挿通孔からコードを一旦抜き外してコードの巻回方向と反対側に隣り合う次の挿通孔にコードを挿通させなければならず、このようなコードの抜き外し並びに挿通の作業に手間を要し、また草刈作業においてコードの先端部分が磨耗して短くなるたびに、前記コードの抜き外し並びに挿通の作業を行う必要があることから、草刈作業の効率化を妨げることとなっていた。
【０００６】
また、このような問題に対処するために、当該ロータリーカッターの巻芯部に自動または半自動的にコードを繰り出す機構を備えたものも開発されているが、このようなロータリーカッターは構造が複雑で、且つ高価であるという欠点があった。
【０００７】
更にまた、巻芯部からコードを繰り出し易くするために、上面板に案内溝を設けたロータリーカッターも知られているが、該カッターはコイルスプリングによって倒伏自在な係止部材を介してコードの繰り出しを行うものであり、前記従来のロータリーカッターに比べて構造が複雑化され、また組み立て作業にも手間を要するという欠点があった。またこのロータリーカッターでは、コードが短くなって、そのコードを巻芯から繰り出す際にはコードを前記係止部材に巻き掛けてから案内溝内にコードの端部を引き込むという彼此手間な操作が必要であり、更にコード先端部分がかなり短くなっている場合には、前記作業が更に行い難くなるという欠点もあった。
【０００８】
本考案の目的は、安価に製造でき、しかも巻芯部からのコードの繰り出し作業がスムーズ且つ簡単に行えるロータリーカッターを提供することにある。
【課題を解決するための手段】
【０００９】
請求項１記載のコード式ロータリーカッターは、中央部にコードを巻き付けるための円筒状の巻芯部と、巻芯部の下端から外側へ水平に伸び、全体形状が平面から見て略円形の底板部と、底板部の外縁から起立する立上壁部と、底板部の円周方向に一定間隔をあけて、底板部上面に突設された少なくとも複数のコード台部と、これらコード台部に形成されたコード掛止用切込みと、巻芯部の上端から内外方向に水平に延成され、中央に取付孔が形成された取付板部とを有しており、前記コード掛止用切込みは、コードの端部寄り部分を収容する最奥のコード収容部と、コード収容部から当該ロータリーカッターの回転方向側に形成されたコード止め部と、コード止め部から当該ロータリーカッターの回転方向側に向かって斜めに外縁まで形成されたコード出入れ部とを有しているものである。
【００１０】
請求項２記載のコード式ロータリーカッターは、中央部にコードを巻き付けるための円筒状の巻芯部と、巻芯部の下端から外側へ水平に伸び、全体形状が平面から見て略円形の底板部と、底板部の外縁から起立する立上壁部と、底板部の円周方向に一定間隔をあけて、底板部上面に突設された少なくとも複数のコード台部と、これらコード台部に形成されたコード掛止用切込みと、巻芯部の上端から内外方向に水平に延成され、中央に取付孔が形成された取付板部とを有しており、前記コード掛止用切込みは、コードの端部寄り部分を収容する最奥のコード収容部と、コード収容部から当該ロータリーカッターの回転方向側に向かって斜めに外縁まで形成されたコード出入れ部とを有しているものである。
【００１１】
なお、本考案において、前記コード台部およびコード掛止用切込みは通常、４箇所形成される。
【００１２】
また、立上壁部は、底板部から垂直に起立したものでも、斜め外方に起立したものでも良い。
【考案の効果】
【００１３】
本考案に係るいずれのロータリーカッターにおいても、構造を複雑化させることなく、コード台部に形成されたコード掛止用切込みによって、コードの出入れがスムーズに行える。すなわち、当該ロータリーカッターから突出しているコード先端部分の長さが短くなった際に、短くなったコード端部をコード掛止用切込みから出して当該ロータリーカッターの回転方向と反対側に隣り合う次のコード台におけるコード掛止用切込みに入れるだけでコードの繰出しが行える。したがって、従来のロータリーカッターのように、コードを挿通孔から一旦抜き外して隣り合う次の挿通孔に挿入するといった手間が省略されるため、コードの繰出し作業が迅速に行え、その結果、草刈作業の能率を大幅に高めることができる。
【００１４】
また、本考案に係るロータリーカッターでは、コード掛止用切込みにコードを掛止させた状態で草刈り・草払い作業を行うことができる。
【００１５】
更に、請求項１記載の本考案に係るロータリーカッターでは、前記コード掛止用切込みにおいて、最奥のコード収容部とコード出入れ部との間にコード止め部が形成されているため、コード収容部内にコードがより確実に収容され得るという利点がある。
【図面の簡単な説明】
【００１６】
【図１】本考案に係るロータリーカッターの一実施形態を示す斜視図である。
【図２】同実施形態に係るロータリーカッターの平面図である。
【図３】同じくロータリーカッターの底面図である。
【図４】同実施形態のロータリーカッターにおけるコード掛止用切込みの拡大斜視図である。
【図５】コード掛止用切込みの変形例を示す拡大斜視図である。
【図６】図２におけるＡ−Ａ線断面図である。
【考案を実施するための形態】
【００１７】
次に、本考案の実施形態を図面にしたがって説明するが、本考案はかかる実施形態に限定されるものではない。
【００１８】
図１〜図４および図６に示すように、本実施形態のロータリーカッター１は、中央部に樹脂製のコードＣを巻き付けるための円筒状の巻芯部２と、巻芯部２の下端から外側へ水平に伸び、全体形状が平面から見て円形の底板部３と、底板部３の外縁から垂直に起立する立上壁部４と、底板部３の円周方向に一定間隔をあけて、底板部上面に突設された４つのコード台部５と、これらコード台部５に形成されたコード掛止用切込み６と、巻芯部２の上端から内外方向に水平に延成され、中央に取付孔７が形成された取付板部８とを有するものである。
【００１９】
前記コード台部５は、本実施形態では当該ロータリーカッター１の回転方向（矢印Ｂ方向）に向かって徐々に細くなる略滴形状となされている。
【００２０】
前記コード掛止用切込み６は、本実施形態では図４に示すように、最奥部が上下方向に円弧状に曲成１０ａ・１０ｂされたコード収容部６ａと、コード収容部６ａから当該ロータリーカッター１の回転方向側に形成されたコード止め部６ｂと、コード止め部６ｂから当該ロータリーカッター１の回転方向側に向かって斜めに外縁１ａまで形成されたコード出入れ部６ｃとを有している。
【００２１】
コード止め部６ｂは、コードＣが引っ掛かる機能を有するところであり、具体的には、コードＣが斜めの状態で引っ掛かり、使用者がコードＣを手で持って垂直状態とした場合に通すことができるものである。したがって、コードＣは使用者が手で持って垂直状態にしなり限り、勝手にコード止め部６ｂを通過することがなく、確実にコード収容部６ａ内に収容されることとなる。
【００２２】
前記取付板部８は、平面から見て略正方形であって、各角部がない形状であり、取付板部８と底板部３によって上下が規制させて巻芯部２の外周面にコードＣが巻回される。
【００２３】
図３に示すように、当該ロータリーカッター１の下面の中央部分には、巻芯部２と取付板部８の下側部分とによって、草刈機等のシャフト先端部に取り付けるためのホルダー（図示せず）が入る凹所９が形成されている。
【００２４】
また、図６に示すように、コード台部５の下面側は凹部１０となっている。
【００２５】
次に、本実施形態に係るロータリーカッター１の使用要領について説明すると、従来のロータリーカッターと同様、巻芯部２にあけられた隣り合う２つの孔（図示せず）にコードＣの長さ中央部分を通してその両側部分を巻芯部２に巻きつける。
【００２６】
そして、コードＣの両端部分を図１および図２に示すように、対向するコード掛止用切込み６内に掛止させる。
【００２７】
この際、コードＣはコード掛止用切込み６のうちのコード出入れ部６ｃから導入された後、コード止め部６ｂを通過して最奥のコード収容部６ａ内にスムーズに収容される。この状態で当該ロータリーカッター１を矢印Ｂ方向に回転させることで草等の刈取り、刈払いが行われるのであるが、この場合、コードＣの先端寄り部分は前述した通り、コード止め部６ｂによって規制された状態で最奥のコード収容部６ａ内に安定的に収容されており、外れることがない。
【００２８】
一方、使用によってコードＣの先端部分の突出長さが短くなった際には、コードＣの先端部分を、コード掛止用切込み６におけるコード収容部６ａからコード止め部６ｂを通過させた後、コード出入れ部６ｃから取り出して当該ロータリーカッター１の回転方向（矢印Ｂ方向）と反対方向に隣り合う次のコード掛止用切込み６内に前記の同じ要領で導入することによって、コードＣの突出長さを長くする。
【００２９】
図５は、本実施形態におけるコード掛止用切込み６の変形例であって、前記コード止め部６ｂを設けずに、コード収容部６ａに続いてコード出入れ部６ｃが形成されている。
【産業上の利用可能性】
【００３０】
本考案のロータリーカッターは、簡単且つ安価に製造することができ、そして、使用によって短くなったコードを容易に繰り出すことができるため、草刈機等の分野において幅広い利用が期待できる。
【符号の説明】
【００３１】
１  ロータリーカッター
２  巻芯部
３  底板部
４  立上壁部
５  コード台部
６  コード掛止用切込み
６ａ  コード出入れ部
６ｂ  コード止め部
６ｃ  コード収容部
【図１】
0003174660.tif 000003
【図２】
0003174660.tif 000004
【図３】
0003174660.tif 000005
【図４】
0003174660.tif 000006
【図５】
0003174660.tif 000007
【図６】
0003174660.tif 000008